(57)【特許請求の範囲】
【請求項１】
地上設置型通信キャビネットＲの天板上に傾斜フレーム７を介在して前後の所定方向へ傾動可能な外箱２を設置し、外箱２内にはキャビネットＲの前面扉方向へ引き出し可能に内箱３を収容し、内箱３先端には延長プレート４を外回動自在に設けるとともに内箱３内端と延長プレート４間に所定条のベルト５を配列して、該ベルト５に中央部を取付け、不使用時には内箱３内に収納されるテント６をキャビネットＲの４側に向け垂下し、４辺を閉鎖することにより、外箱２、内箱３よりなるテント収納箱１を天井とする閉鎖空間を形成することを特徴とする地上設置型通信キャビネット用常設型テント。
【発明の詳細な説明】
【０００１】
【発明の属する技術分野】
本願は、電気通信工事において使用するものであり、特に屋外に設置されている地上設置型通信キャビネット（ＲＳＢＭ−Ｆキャビネット、遠隔加入者収納モジュール）の接続作業の際に塵、雨滴等の侵入を防止するため使用する、キャビネットを覆うテントに関するものである。
【０００２】
【従来の技術および発明が解決しようとする課題】
従前においては地上設置型通信キャビネットの普及はそれほど進んでおらず、キャビネット設置後に行う接続作業も少ないため、機器に損傷を与えるおそれのある環境を避け、天候を選んで行っていたが、最近の工事の増加は著しく、最適な天候を選んで行うことが困難になってきた。雨水が侵入すれば故障の原因となり、また、風の強い時は砂，埃等が機器内に入り設備品質の保証が図れない等の理由によるもので、天候の悪い日でも接続作業が行える地上設置型通信キャビネット専用のテントの開発が望まれるようになってきた。
そのような状況の中で、キャビネット上部に携帯型フレームを組立て、その上よりルーフをすっぽりと覆うテントが創出され、それによって雨水や砂，埃から開放したキャビネット内部を防護して作業を進めているのが現状である。
【０００３】
しかし、降雪地においては雨水，砂，埃だけではなく、雪の対策も講じなければならないものである。
地上設置型通信キャビネットは等身大で、横幅も有り、それを覆うテントも自ずとそれ以上に大きくなり、従来のテントを携帯する方法では何かと課題が多いものであった。風雪のなかで、キャビネット上にフレームを組立、さらにテントを展張することは小人数では困難な作業であり、作業班自体の構成まで考慮しなおす必要があった。また、苦労して張ったテントも雪の重量により垂れ下がり、作業に支障を来すものであった。テントの積雪による垂れ下がりを防ぐためにフレームを増設すればさらに重量が増え、携帯に適さない上、その設置に時間を要するものであった。
【０００４】
【課題を解決するための手段】
以上のような状況を解決するため、本願では塵、風雪、雨滴防止用のテントを地上設置型通信キャビネット上に常設収納可能として解決するものである。
具体的には、地上設置型通信キャビネット上に、上面とほぼ同じ長方形の箱を取付け、その箱にテントを収納して、必要時には取り出しキャビネットを被包可能として課題を解決するものである。
箱は、外箱  ２とテント６を折り畳んで収容した内箱  ３とより成り、その内箱  ３をスライドレール２２により外箱  ２外に引出し可能とし、さらに内箱  ３先端部に延長プレート  ４を外方へ回動可能に内箱  ３より突設延長する。
内箱  ３内端と延長プレート  ４間にベルト  ５を複数列配して両端を固定し、延長プレート４の回動限界を設定するとともに、ベルト  ５上にキャビネット全体を覆うテント  ６の頂部が位置し、積雪、雨の溜りによるテントの垂れ下がりを小区間として、重量的な分散を計るための、いわば桟とする。
傾斜フレーム  ７は地上設置型通信キャビネットＲ上とテント収納箱の間に設け、この位置において前方向、後方向への傾斜を可能とし、テントの使用時および収納時の作業を容易とするものである。
【０００５】
【実施例】
本願の一実施例を詳記する。
本願の地上設置型通信キャビネット用常設型テントは、長方形状のテント収納箱  １の外箱  ２下部とキャビネット天板間に、外箱  ２の前側と、後側をそれぞれ上方移動可能にする傾斜フレーム  ７を一対設ける。
また外箱  ２と内箱  ３両側面間にスライドレール２２を設け、内箱  ３全体を引出し可能とし、引きだした内箱  ３先端に延長プレート  ４をさらに外方へ回動自在に設けると共に、内箱  ３内端と延長プレート  ４基端間にベルト  ５を複数列配する。
このベルト列は、ネットを展開した際にその頂部に位置し、積雪や、雨が溜まるのを小区分してその重量に対応する為の、いわば桟、傘の骨の効果を目的とする。
テントは内箱  ３に設けたこのベルト上に畳んで収納される。
傾斜フレーム  ７は、下部フレーム  ８と上部フレーム  ９を重合して成るもので、下部フレーム  ８は、板材をコ字状に折曲し、両端部に取付け用の穴８１を設け、一端に軸受片８２を設け、他端にロック軸８３を備えたものである。上部フレーム  ９は、一端に同じく軸受片９１を設け、他端には、外箱  ２の裏面に設けた軸受部２３と連結する軸受片９２を設け、前側上方傾斜した時の固定用ステー２４を外箱  ２裏面と上部フレーム  ９間に設けたものである。
前記、下部フレーム  ８と上部フレーム  ９の一端の軸受片８２，９１を軸７１で回動自在に軸着し、下部フレーム  ８の穴８１には、ボルト７２によってキャビネット吊上げ用ボルト穴に取付ける。
下部フレーム  ８に設けたロック軸８３は、図３，４のように下部フレーム  ８より内側に突出延長したフレームに設け、通常は外箱  ２裏面に設けられた連結片２５の穴に嵌合し、テント収納箱を固定しているものである。
【０００６】
本願の地上設置型通信キャビネット用常設型テントは、図１のようにキャビネット天板上に取付けられている。
使用にあたっては図２のように外箱  ２前面の蓋２１を開け、内箱  ３を引出す。次に内箱  ３上の延長プレート  ４を手前外方へ回動する。そしてテント  ６を広げてキャビネットを覆い、四隅のファスナー６１を掛ける。そして図６のように、収納箱１前側を押し上げれば、固定用ステー２４により所定位置でロックし、これで展開セットアップは完了である。
この前側を上げてセットするのは、こうすることによって作業者が屈まなくても良い高さを得るためである。
展開している本願の地上設置型通信キャビネット用常設型テントを収納する時は、図６の状態では高すぎてテント  ６を収納するのには困難であるので、すこし押し上げることにより、固定用ステー２４のロックが外れ、図２のように水平となる。
作業者は、この状態でも収納作業は出来るが、さらに、容易に収納出来るように、図７のように傾斜フレーム  ７により、外箱  ２の後側を上方へ上げることができる、すなわち内箱  ３を下げることができる。よってテント  ６のファスナー６１を外し、折畳んで収納し、再び延長プレート  ４を回動し、内箱  ３を外箱  ２内に収め、テント収納箱  １を水平にして蓋２１を閉じ、ロック軸８３を連結片２５に嵌合して終了するものである。
【０００７】
【発明の効果】
本願の地上設置型通信キャビネット用常設型テントは、図１のように常設しているので、雨，強風，雪の悪天候時に故障が発生し修理作業が必要になった場合でも、テント等を持って出動する必要が無くなり、作業者が現地に到着し、迅速に作業にあたることが出来る。また、作業中に降雨や降雪があっても、作業を中断することなく作業ができるので効率化が図れる。
また、キャビネット全体を覆うテントなので、寒冷地では防寒対策にもなる。
【図面の簡単な説明】
【図１】本願テントの取付状態斜視図。
【図２】本願テントの内箱を引出したところの斜視図。
【図３】本願傾斜フレーム部の斜視図。
【図４】本願テントの片側背面図。
【図５】本願テントの一部切欠きしたところの側面図。
【図６】本願テントの使用状態側面図。
【図７】本願テントの収納時状態側面図。
【図８】本願テント生地の斜視図。
【符号の説明】
１  テント収納箱
２  外箱
３  内箱
４  延長プレート
５  ベルト
６  テント
７  傾斜フレーム
８  下部フレーム
９  上部フレーム
２１  蓋
２２  スライドレール
２３  軸受部
２４  固定用ステー
２５  連結片
６１  ファスナー
７１  軸
７２  ボルト
８１  穴
８２  軸受片
８３  ロック軸
９１，９２  軸受片
Ｒ  地上設置型通信キャビネット
【図１】
0003580750.tif 000002
【図２】
0003580750.tif 000003
【図３】
0003580750.tif 000004
【図４】
0003580750.tif 000005
【図５】
0003580750.tif 000006
【図６】
0003580750.tif 000007
【図７】
0003580750.tif 000008
【図８】
0003580750.tif 000009